(57)【要約】【課題】リモコンシステムにおいて、リモコンからの信号を受信する電気機器が待機モード状態である場合において、待機電力を低減させると共に、待機モード状態であっても確実にリモコンからの指示信号を受信する。【解決手段】ＴＶ受像機は制御用マイコン１３、第１受光器７１、及び第２受光器７２を有する。リモコンは第１発光器と、第２発光器と、パワーボタンとを有する。パワーボタンが操作されると、第２受光器７２が信号を受信し、Ｔｒ４にＬ信号を出力してＴｒ３及びＴｒ５がオンし、メイン電源の電源電圧が端子Ｓ１に供給される。これにより、Ｔｒ２がオンして、Ｔｒ１がオンし、メイン電源からの電源が、第１受光器７１及び制御用マイコン１３に供給されて制御用マイコン１３が起動する。その後、制御用マイコン１３の起動に要する時間が経過した後、リモコンの第１発光器から通常モードへの切替の指示信号が送信される。【選択図】図６
2010088063.tif 000002
【特許請求の範囲】
【請求項１】
ユーザによる操作に応じた指示信号を送信するリモートコントローラ（以下、リモコンと略す）と、該指示信号を受信し、この指示信号の内容に基づいた制御を行う電気機器とを備え、
前記リモコンは、ユーザによって操作される操作手段と、該操作手段の操作に応じた指示信号を送信するための信号送信手段とを備え、
前記電気機器は、前記リモコンから送信される指示信号を受信するための信号受信手段と、該信号受信手段によって受信された指示信号の内容に基づいて装置各部を制御する制御手段と、装置各部に電源を供給する電源供給手段とを備え、
前記電気機器が、前記制御手段に電圧を供給される指示信号の受信を待つモード（以下、待機モード）と、前記信号受信手段によって受信された指示信号の内容に基づいて制御を行うモード（以下、通常モード）とを有するリモコンシステムにおいて、
前記リモコンの操作手段は、前記電機機器の待機モードと通常モードとの切替えを指示するためのパワーオンキーを含み、
前記電源供給手段は、前記電気機器が前記待機モードのときに前記制御手段への電源供給を遮断し、
前記電気機器が前記待機モードのときに、前記リモコンの前記パワーオンキーがユーザにより操作されると、前記リモコンより、前記電源供給手段から前記制御手段に電源を供給させる指示信号が送信され、前記信号受信手段によってこの指示信号が受信されると、前記電源供給手段が前記制御手段に電源を供給し、その後、所定の時間が経過したときに、前記リモコンより、前記待機モードから前記通常モードへの切替えを指示する指示信号が送信されることを特徴とするリモコンシステム。
【請求項２】
前記リモコンの前記信号送信手段は、それぞれ異なるキャリア周波数を用いて指示信号を送信する第１信号送信手段、及び第２信号送信手段を含み、
前記電気機器の前記信号受信手段は、前記第１信号送信手段から送信される第１指示信号を受信するための第１信号受信手段、及び前記第２信号送信手段から送信される第２指示信号を受信するための第２信号受信手段を含み、
前記電気機器が前記待機モードのときに前記パワーオンキーがユーザにより操作されると、前記第２信号送信手段から前記第２指示信号が送信され、前記第２信号受信手段によってこの第２指示信号が受信されると、前記電源供給手段が前記制御手段に電源を供給し、その後、所定の時間が経過したときに、前記リモコンの前記第１信号送信手段より、前記待機モードから前記通常モードへの切替えを指示する第１指示信号が送信されることを特徴とする請求項１に記載のリモコンシステム。
【請求項３】
前記電気機器は、前記電源供給手段による前記制御手段への電源の供給／遮断を制御するスイッチング手段をさらに備え、
前記第２信号受信手段は、前記第２指示信号を受信したときに、前記スイッチング手段の動作を制御する制御信号を送信し、
前記スイッチング手段は、前記第２信号受信手段から送信される制御信号に応じて前記電源供給手段から前記制御手段への電源の供給／遮断を制御し、
前記第２信号受信手段は、前記電気機器が前記待機モードのときに、前記第２指示信号を受信した場合、前記スイッチング手段に前記制御信号を出力することにより前記電源供給手段が前記制御手段に電源を供給するようにさせることを特徴とする請求項２に記載のリモコンシステム。
【請求項４】
前記スイッチング手段は、前記電源供給手段による前記第１信号受信手段への電源の供給／遮断をさらに制御し、
前記第２信号受信手段は、前記電気機器が待機モードのときに、前記第２指示信号を受信した場合、前記スイッチング手段に前記制御信号を出力することにより、前記電源供給手段が前記第１信号受信手段に電源を供給するようにさせることを特徴とする請求項３に記載のリモコンシステム。
【請求項５】
前記スイッチング手段は、トランジスタであり、
前記第２信号受信手段は、前記トランジスタのベース端子に前記制御信号を出力することを特徴とする請求項３又は４に記載のリモコンシステム。
【発明の詳細な説明】
【技術分野】
【０００１】
本発明は、リモコンから送信される指示信号の受信待機状態において、待機電力を低減させることができるリモコンシステムに関する。
【背景技術】
【０００２】
従来から、ユーザがリモートコントローラ（以下、リモコンという）を操作することによって、例えば、テレビジョン受像機（以下、ＴＶ受像機という）等に指示を行うリモコンシステムが普及している。この種のシステムでは、ＴＶ受像機が電源オフ時においてもユーザによるリモコン操作に応じて電源をオン状態にできるように、ＴＶ受像機のマイコン等にのみ電源を供給する待機モードを有している。
【０００３】
近年、待機モード時における待機電力の低減の要望があり、待機モード時にマイコンを低電力モードで動作させることができるリモコンシステムが知られている（例えば、特許文献１乃至３参照）。しかしながら、これらのシステムでは待機電力を十分低減させることができず、さらなる低減が熱望されている。また、待機モード時に待機電力の低いサブマイコンを用いる方法が知られているが、製造コストを抑制できないという問題がある。
【０００４】
これに対して、特許文献４には、待機モード時においてマイコンへの電源供給を遮断するリモコンシステムが開示されている。このシステムでは待機モード時にマイコンへの電源供給を遮断するため、待機電力をさらに低減させることができる。
【０００５】
しかしながら、この種のシステムでは、マイコンに電源が供給されて起動するまでの間にユーザによりリモコン操作が行われて信号が送信された場合、マイコンがリモコンコードを受信することができないという新たな問題が生じる。従って、ユーザが再度リモコンを操作することにより信号を送信しなければならず、操作が煩雑になるという問題が生じる。
【特許文献１】特開２００６−１９０２２４号公報
【特許文献２】特開２００３−５１９６０号公報
【特許文献３】登録実用新案第３０６５０５８号公報
【特許文献４】特開２００３−１２５３１２号公報
【発明の開示】
【発明が解決しようとする課題】
【０００６】
本発明は、上述した問題点を解決するためになされたものであり、リモコンからの信号を受信する電気機器が待機モード状態である場合において、待機電力を低減させることができると共に、電気機器が待機モード状態であっても確実にリモコンからの指示信号を受信することができるリモコンシステムを提供することを目的とする。
【課題を解決するための手段】
【０００７】
上記目的を達成するために請求項１の発明は、ユーザによる操作に応じた指示信号を送信するリモートコントローラ（以下、リモコンと略す）と、該指示信号を受信し、この指示信号の内容に基づいた制御を行う電気機器とを備え、前記リモコンは、ユーザによって操作される操作手段と、該操作手段の操作に応じた指示信号を送信するための信号送信手段とを備え、前記電気機器は、前記リモコンから送信される指示信号を受信するための信号受信手段と、該信号受信手段によって受信された指示信号の内容に基づいて装置各部を制御する制御手段と、装置各部に電源を供給する電源供給手段とを備え、前記電気機器が、前記制御手段に電圧を供給される指示信号の受信を待つモード（以下、待機モード）と、前記信号受信手段によって受信された指示信号の内容に基づいて制御を行うモード（以下、通常モード）とを有するリモコンシステムにおいて、前記リモコンの操作手段は、前記電機機器の待機モードと通常モードとの切替えを指示するためのパワーオンキーを含み、前記電源供給手段は、前記電気機器が前記待機モードのときに前記制御手段への電源供給を遮断し、前記電気機器が前記待機モードのときに、前記リモコンの前記パワーオンキーがユーザにより操作されると、前記リモコンより、前記電源供給手段から前記制御手段に電源を供給させる指示信号が送信され、前記信号受信手段によってこの指示信号が受信されると、前記電源供給手段が前記制御手段に電源を供給し、その後、所定の時間が経過したときに、前記リモコンより、前記待機モードから前記通常モードへの切替えを指示する指示信号が送信されるものである。
【０００８】
請求項２に記載の発明は、請求項１に記載のリモコンシステムにおいて、前記リモコンの前記信号送信手段は、それぞれ異なるキャリア周波数を用いて指示信号を送信する第１信号送信手段、及び第２信号送信手段を含み、前記電気機器の前記信号受信手段は、前記第１信号送信手段から送信される第１指示信号を受信するための第１信号受信手段、及び前記第２信号送信手段から送信される第２指示信号を受信するための第２信号受信手段を含み、前記電気機器が前記待機モードのときに前記パワーオンキーがユーザにより操作されると、前記第２信号送信手段から前記第２指示信号が送信され、前記第２信号受信手段によってこの第２指示信号が受信されると、前記電源供給手段が前記制御手段に電源を供給し、その後、所定の時間が経過したときに、前記リモコンの前記第１信号送信手段より、前記待機モードから前記通常モードへの切替えを指示する第１指示信号が送信されるものである。
【０００９】
請求項３に記載の発明は、請求項２に記載のリモコンシステムにおいて、前記電気機器は、前記電源供給手段による前記制御手段への電源の供給／遮断を制御するスイッチング手段をさらに備え、前記第２信号受信手段は、前記第２指示信号を受信したときに、前記スイッチング手段の動作を制御する制御信号を送信し、前記スイッチング手段は、前記第２信号受信手段から送信される制御信号に応じて前記電源供給手段から前記制御手段への電源の供給／遮断を制御し、前記第２信号受信手段は、前記電気機器が前記待機モードのときに、前記第２指示信号を受信した場合、前記スイッチング手段に前記制御信号を出力することにより前記電源供給手段が前記制御手段に電源を供給するようにさせるものである。
【００１０】
請求項４に記載の発明は、請求項３に記載のリモコンシステムにおいて、前記スイッチング手段は、前記電源供給手段による前記第１信号受信手段への電源の供給／遮断をさらに制御し、前記第２信号受信手段は、前記電気機器が待機モードのときに、前記第２指示信号を受信した場合、前記スイッチング手段に前記制御信号を出力することにより、前記電源供給手段が前記第１信号受信手段に電源を供給するようにさせるものである。
【００１１】
請求項５に記載の発明は、請求項３又は４に記載のリモコンシステムにおいて、前記スイッチング手段は、トランジスタであり、前記第２信号受信手段は、前記トランジスタのベース端子に前記制御信号を出力するものである。
【発明の効果】
【００１２】
請求項１の発明によれば、電源供給手段は、電気機器が待機モードのときに制御手段への電源供給を遮断するので、待機電力を十分に低減させることができる。また、サブマイコン等を新たに設けることなく待機電力を低減させることができるので製造コストを抑制することができる。また、リモコンより、電源供給手段から制御手段に電源を供給させる指示信号が送信された後、所定の時間が経過したときに、リモコンより、待機モードから通常モードへの切替えを指示する指示信号が送信される。そのため、電気機器は、制御手段が起動した後に待機モードから通常モードへの切替えを指示する指示信号を確実に受信することができる。
【００１３】
請求項２の発明によれば、第２指示信号が送信された後、所定の時間が経過したときに、リモコンの第１信号送信手段より、待機モードから通常モードへの切替えを指示する第１指示信号が送信される。そのため、電気機器は、制御手段が起動した後に待機モードから通常モードへの切替えを指示する第１指示信号を確実に受信することができる。
【００１４】
請求項４の発明によれば、スイッチング手段は、電源供給手段による第１信号受信手段への電源の供給／遮断をさらに制御するので、電気機器が待機モードのときに、待機電力をさらに低減させることができる。
【発明を実施するための最良の形態】
【００１５】
本発明の一実施形態に係るテレビジョン（以下、ＴＶ）システムについて図１乃至図４を参照して説明する。ここでは、請求項におけるリモコンシステムの一例としてＴＶシステムを示すが、本発明のリモコンシステムはこれに限られない。図１は、ＴＶ受像機（電気機器）１と、リモコン（リモートコントローラ）２とを含むＴＶシステム１００の外観を示し、図２は、ＴＶ受像機１及びリモコン２の概略構成を示す。図３は、リモコン２の上面を示し、図４は、リモコン２による信号送信動作手順を示す。リモコン２は、ユーザによる操作に応じた指示信号を発光部（信号送信手段）２０から送信し、ＴＶ受像機１は受信した指示信号の内容に基づいて制御を行う。
【００１６】
図１及び図２に示されるように、ＴＶ受像機１は、ＴＶ番組の映像を表示するための液晶ディスプレイ３と、音声を出力するスピーカ４と、外部のアンテナに接続され、このアンテナにより受信されるＴＶ放送信号の所望の番組を選局するチューナ５とを備える。また、ＴＶ受像機１は、筐体外部に露出するように設けられた端子部６と、装置本体とは別体となるリモコン２から送信される指示信号を受信する受光部（信号受信手段）７と、映像や音声等の処理を行うと共に、装置各部の制御を行うための制御部８と、装置各部に電源を供給する電源部（電源供給手段）９とをさらに備える。ＴＶ受像機１は、制御部８による制御に基づき、例えばチューナ５により選局されたテレビ番組や、端子部６にケーブルを介して入力される映像・音声等を液晶ディスプレイ３やスピーカ４を介して視聴可能にすることができる。
【００１７】
受光部７は、第１受光器７１と、第２受光器７２とを有する。第１受光器７１と第２受光器７２とは、それぞれ異なったキャリア周波数を用いて送信された指示信号を受信することができるものであり、第１受光器７１は後述するリモコン２の第１発光器２１から送信された指示信号（以下、第１指示信号という）を受信ことができ、第２受光器７２は後述するリモコン２の第２発光器２２から送信された指示信号（以下、第２指示信号という）を受信することができる。第２受光器７２は、第２指示信号を受信したとき、後述するように制御用マイコン１３に電源を供給又は遮断させるための制御信号を電源部９に送信して、電源部９による電源の供給／遮断を制御することができる。
【００１８】
制御部８は、チューナ５によって受信されたテレビ放送信号に基づく映像信号を液晶ディスプレイ３に出力する映像処理部１１と、テレビ番組の音声信号をスピーカ４に出力する音声処理部１２と、映像処理部１１や音声処理部１２等の制御を行う制御用マイコン１３とを有する。制御用マイコン１３は、受光部７から送出された指示信号に含まれるリモコンコードを受信し、このリモコンコードの内容に基づいた制御を行う。ＴＶ受像機１は、リモコン２から送信される指示信号の受信を待つモード（以下、待機モードという）と、第１受光器７１から出力される指示信号の内容に基づいて制御を行うモード（以下、通常モードという）とを有する。
【００１９】
電源部９は、メイン電源９ａと、待機電源９ｂとを有する。メイン電源９ａは、装置各部に接続されて装置各部に電源を供給し、待機電源９ｂは、第２受光器７２に接続されて第２受光器７２にのみ電源を供給する。メイン電源９ａは、ＴＶ受像機１が通常モードのときに装置各部に電源を供給するが、待機モードのときには電源の供給を遮断する。すなわち、ＴＶ受像機１が待機モードのときには、制御用マイコン１３や第１受光器７１等への電源供給は遮断され、制御用マイコン１３や第１受光器７１等は起動していない。通常モードと待機モードとのモード切替えは、後述するリモコン２を操作することによって行われ、モード切替操作がされると第２受光器７２から電源部９に制御信号が送信される。
【００２０】
リモコン２は、図３に示すように、所望のＴＶチャンネルを選択するための複数のキーが配設されており、ＴＶ受像機１に対してユーザによる操作に応じた指示信号を送信するための発光部２０と、ＴＶチャンネル等を選択するための「０」〜「９」までの数字キー２３（２３ａ〜２３ｊ）と、決定キー２４とを有する。また、リモコン２は、音声再生時などにスピーカ４から出力する音量値の調節や各種設定の選択を行うための左右キー２５ａ、２５ｂと、メイン電源９ａのオン／オフの切替え、すなわち、待機モードと通常モードとの切替えを指示するためのパワーボタン（パワーオンキー）２６とをさらに有する。
【００２１】
発光部２０は、第１指示信号を送信する第１発光器（第１信号送信手段）２１と、第２指示信号を送信する第２発光器（第２信号送信手段）２２とを有し、第１発光器２１及び第２発光器２２とはそれぞれ異なる周波数を用いて指示信号をＴＶ受像機に出力する。第１発光器２１及び第２発光器２２は、赤外線ＬＥＤ等から構成され、第１指示信号及び第２指示信号は赤外線信号である。
【００２２】
第１発光器２１及び第２発光器２２の信号送信動作は、図４のフローチャートに示すように、ユーザによってパワーボタン２６が操作された場合（Ｓ１でＹＥＳ）、第２発光器２２によって第２指示信号が送信（Ｓ２）された後、第１発光器２１がパワーボタン２６の操作に応じたリモコンコードに基づく第１指示信号を送信する（Ｓ３）。一方、パワーボタン２６以外のボタンが操作されたとき（Ｓ１でＮＯ）、第１発光器２１が、その操作に応じたリモコンコードに基づく第１指示信号を送信する（Ｓ４）。なお、第２指示信号はリモコンコードに基づく信号でなくてもよい。
【００２３】
次に、待機モードから通常モードへの切替え動作手順について、図５に示すフローチャートを参照して説明する。ここでは、ＴＶ受像機１が既に待機モードであるものとする。ユーザによってパワーボタン２６が操作されると（Ｓ１１）、第２発光器２２から第２指示信号が送信され（Ｓ１２）、第２受光器７２によってこの第２指示信号が受信される（Ｓ１３）。そして、第２受光器７２は、電源部９に対して制御用マイコン１３や第１受光器７１等に電源を供給させるための制御信号を送信し（Ｓ１４）、メイン電源９ａが制御用マイコン１３や第１受光器７１等に電源を供給して起動状態にする（Ｓ１５）。
【００２４】
その後、制御用マイコン１３の起動に必要な時間（所定の時間）が経過したときに、第１発光器２１によりパワーボタン２６の操作に応じたリモコンコードに基づく第１指示信号、すなわち、待機モードから通常モードへの切替えを指示する第１指示信号が送信され（Ｓ１６）、第１受光器７１がこの第１指示信号を受信する（Ｓ１７）。第１受光器７１は受信した第１指示信号を起動状態である制御用マイコン１３に送出し（Ｓ１８）、制御用マイコン１３は受信した指示信号のリモコンコードに基づいて装置各部を制御し（Ｓ１９）、通常モードとして動作させる。
【００２５】
次に、制御用マイコン１３と、第１受光器７１と、第２受光器７２との接続回路の一例について、図６に示す回路図を参照して説明する。この回路は、制御用マイコン１３と、第１受光器７１と、第２受光器７２と、トランジスタＴｒ１〜Ｔｒ７等によって構成されている。トランジスタＴｒ１、Ｔｒ３、Ｔｒ５はそれぞれＮＰＮ型であり、トランジスタＴｒ２、Ｔｒ４、Ｔｒ６、Ｔｒ７はそれぞれＰＮＰ型である。
【００２６】
待機電源９ｂの端子Ｓ２は、第２受光器７２のＶｃｃ端子７２ｂ、トランジスタＴｒ４のエミッタ端子、トランジスタＴｒ６のエミッタ端子、及びトランジスタＴｒ７のエミッタ端子と接続され３．３Ｖの電源を供給している。
【００２７】
第２受光器７２のＶｏｕｔ端子７２ａは、抵抗Ｒ１を介してトラジスタＴｒ４のベース端子と接続され、第２受光器７２のＧＮＤ端子７２ｃはアース５１と接続されている。第２受光器７２は第２指示信号を受信したときにＬ信号（制御信号）をトランジスタＴｒ４のベース端子に出力し、これによりトランジスタＴｒ４はオンする。一方、第２指示信号を受信していないとき、第２受光器７２はトランジスタＴｒ４のベース端子にＨ信号を送信するのでトランジスタＴｒ４はオフである。トランジスタＴｒ４のコレクタ端子は、抵抗Ｒ２を介してトランジスタＴｒ３のベース端子と接続されており、また、抵抗Ｒ３を介してトランジスタＴｒ５のベース端子と接続されている。また、トランジスタＴｒ４のコレクタ端子は、トランジスタＴｒ６のコレクタ端子とも接続されている。
【００２８】
メイン電源９ａの端子Ｓ１は、抵抗Ｒ１０を介してトランジスタＴｒ１のコレクタ端子と、抵抗Ｒ５を介してトランジスタＴｒ２のベース端子と、抵抗Ｒ５及び抵抗Ｒ４を介してトランジスタＴｒ５のコレクタ端子と接続されている。また、メイン電源９ａの端子Ｓ１は、ダイレクトにトランジスタＴｒ２のエミッタ端子と接続されている。メイン電源９ａは、５Ｖの電源を供給する。トランジスタＴｒ５のエミッタ端子はアース５４と接続されている。トランジスタＴｒ２のコレクタ端子は、抵抗Ｒ７を介してトランジスタＴｒ１のベース端子と接続されると共に、抵抗Ｒ７を介してアース５３と接続されている。トランジスタＴｒ１のベース端子とアース５３との間にはツェナーダイオード６１が設置されている。トランジスタＴｒ１のエミッタ端子は、制御用マイコン１３のＶｃｃ端子１３ａ及び第１受光器７１のＶｃｃ端子７１ｂに接続されている。
【００２９】
第１受光器７１のＶｏｕｔ端子７１ａは、制御用マイコン１３のＲＣＶ＿ＩＮ端子１３ｃと接続され第１指示信号を受信したときにリモコンコードを示すパルス信号を出力する。第１受光器７１のＧＮＤ端子７１ｃは、アース５６と接続されている。制御用マイコン１３のＰ−ＯＮ−Ｈ端子１３ｂは、抵抗Ｒ９を介してトランジスタＴｒ７のベース端子と接続されている。制御用マイコン１３は、第１受光器７１からパワーボタン２６の操作に応じたリモコンコードに基づく信号を受信したときに、Ｐ−ＯＮ−Ｈ端子１３ｂからＨ信号を出力する。
【００３０】
トランジスタＴｒ７のコレクタ端子は、抵抗Ｒ６を介してトランジスタＴｒ６のベース端子と、抵抗Ｒ８を介してアース５５と接続されている。トランジスタＴｒ５のエミッタ端子は、アース５４に接続され、トランジスタＴｒ５のコレクタ端子は、フィードバック回路９ｃの端子Ｓ３に接続されている。フィードバック回路９ｃは、トランジスタＴｒ５がオフのときには、１次側のＦＥＴ（電界効果トランジス）が間欠発振となり、端子Ｓ４を介して待機電源の端子Ｓ２から２次側に待機モード時の電圧を供給するものである。一方、トランジスタＴｒ５がオンのときには、１次側のＦＥＴが全発振となり、端子Ｓ５を介して通常モードのメイン電源の電圧を端子Ｓ１から供給するものである。
【００３１】
次に、待機モード時にパワーボタン２６が操作された場合の動作について、同じく図６を参照して説明する。パワーボタン２６（図３参照）が操作されることにより、第２受光器７２が第２指示信号を受信すると、第２受光器７２はトランジスタＴｒ４のベース端子にＬ信号を出力するのでトランジスタＴｒ４がオンする。これにより、待機電源９ｂから電源がトランジスタＴｒ３のベース端子及びトランジスタＴｒ５のベース端子に供給されることにより、トランジスタＴｒ３及びトランジスタＴｒ５がオンし、フィードバック回路９ｃの働きによりメイン電源９ａの電源電圧が供給される。
【００３２】
そして、メイン電源９ａの端子Ｓ１から５Ｖの電源が供給されて、トランジスタＴｒ２がオンすることにより、トランジスタＴｒ１がオンし、メイン電源９ａの電源が第１受光器７１及び制御用マイコン１３に供給され、第１受光器７１及び制御用マイコン１３が起動する。
【００３３】
その後、制御用マイコン１３の起動に要する時間が経過した後、リモコン２の第１発光器２１（図３参照）から、パワーボタン２６（図３参照）の操作に応じたリモコンコードに基づく第１指示信号が送信され、第１受光器７１が、この信号を受信すると、制御用マイコン１３のＲＣＶ＿ＩＮ端子１３ｃにこのリモコンコードに基づくパルス信号を出力する。制御用マイコン１３は、このリモコンコードを受信すると、Ｐ−ＯＮ−Ｈ端子１３ｂからトランジスタＴｒ７のベース端子にＨ信号を出力し、トランジスタＴｒ７がオフすることにより、トランジスタＴｒ６がオンする。これにより、待機電源９ｂの端子Ｓ２からトラジスタＴｒ３のベース端子及びトランジスタＴｒ５のベース端子に３．３ｖの電源が供給されるので、トラジスタＴｒ３及びトランジスタＴｒ５がそれぞれオンし、第２受光器７２からＬ信号の出力が終った後であっても制御用マイコン１３にもメイン電源が供給されたままとなる。
【００３４】
次に、通常モード時にパワーボタン２６が操作された場合の動作について、同じく図６を参照して説明する。パワーボタン２６（図３参照）が操作されることにより、第２発光器２２（図２参照）が第２指示信号を送信した後、所定時間経過後に、第１発光器２１（図２参照）によって第１指示信号が送信される。第１受光器７１はこの信号を受信すると、制御用マイコン１３のＲＣＶ＿ＩＮ端子１３ｃにこのリモコンコードに基づくパルス信号を出力する。制御用マイコン１３は、このリモコンコードに基づく信号を受信すると、Ｐ−ＯＮ−Ｈ端子１３ｂからＬ信号を出力する。これにより、トランジスタＴｒ７がオンすることにより、トランジスタＴｒ６がオフし、第２受光器７２からＬ信号の出力が終った後、トラジスタＴｒ３及びトランジスタＴｒ５はオフするので、トランジスタＴｒ１がオフし、制御用マイコン１３及び第１受光器７１への電源は遮断される。
【００３５】
次に、待機モードから通常モードへの切替え時における各信号電圧の変化について、図７に示すタイミングチャートを参照して説明する。図８中の（１）は、第２受光器７２のＶｃｃ端子７２ｂから出力される制御信号の電圧変化を示し、（２）は、第１受光器７１のＶｏｕｔ端子７１ａから出力されるリモコンコードに基づくパルス信号の電圧変化を示し、（３）は、制御用マイコン１３のＰ−ＯＮ−Ｈ端子１３ｂから出力される信号の電圧変化を示す。
【００３６】
時刻Ｔ１においてパワーボタン２６が操作されると、時刻Ｔ２において第２発光器２２が第２指示信号を送信し、第２受光器７２が第２指示信号を受信してＬ信号を出力する。そして、時刻Ｔ２から所定の時間Ｌ１経過後の時刻Ｔ３において、第１発光器２１がリモコンコードに基づく第１指示信号を時刻Ｔ４まで送信し、第１受光器７１がこの第１指示信号を受信する。そして、時刻Ｔ５において制御用マイコン１３がＰ−ＯＮ−Ｈ端子１３ｂからＨ信号を送信し、時刻Ｔ６において第２発光器２２が第２指示信号の送信を終了し、第２受光器７２が第２指示信号の受信を終了する。第２受光器７２は、リモコン２からの第２指示信号の受信処理が終了するとＨ信号を出力する。
【００３７】
次に、通常モードから待機モードへの切替え時における各信号電圧の変化について、図８に示すタイミングチャートを参照して説明する。図８中の（１）乃至（３）は図７と同様に信号の電圧変化を示す。時刻Ｔ１１においてパワーボタン２６が操作されると、時刻Ｔ１２において第２発光器が第２指示信号を送信し、第２受光器７２が第２指示信号を受信してＬ信号を出力する。そして、時刻Ｔ２から所定の時間Ｌ１１が経過した時刻Ｔ１３において、第１発光器２１がリモコンコードに基づく第１指示信号を時刻Ｔ１４まで送信し、第１受光器７１がこの第１指示信号を受信する。そして、時刻Ｔ１５において制御用マイコン１３がＰ−ＯＮ−Ｈ端子１３ｂからのＨ信号の送信を終了し、時刻Ｔ１６において、第２発光器２２が第２指示信号の送信を終了し、第２受光器７２が第２指示信号の受信を終了する。第２受光器７２は、リモコン２からの第２指示信号の受信処理が終了するとＨ信号を出力する。
【００３８】
上述したように、本実施形態に係るＴＶ受像機１においては、メイン電源９ａは、ＴＶ受像機１が待機モードのときに制御用マイコン１３や第１受光器７１等への電源供給を遮断するので、待機電力を十分に低減させることができる。また、サブマイコン等を新たに設けることなく待機電力を低減させることができるため製造コストを抑制することができる。また、リモコン２から第２指示信号が送信された後、制御用マイコン１３が起動するのに必要な時間が経過したときに、リモコン２の第１発光器２１より待機モードから通常モードへの切替えを指示する操作に応じたリモコンモードに基づく第１指示信号が送信される。そのため、制御用マイコン１３は、制御用マイコン１３が起動した後に、待機モードから通常モードへの切替えを指示するリモコンコードを確実に受信することができる。
【００３９】
また、制御用マイコン１３がＰ−ＯＮ−Ｈ端子１３ｂからＨ信号を出力されてトランジスタＴｒ７がオフすることにより、トランジスタＴｒ６がオンし、待機電源９ｂから電源が供給されてトランジスタＴｒ３及びＴｒ５がオンすることによりメイン電源９ａから電源が供給される。従って、第２指示信号を受信していない状態においても、メイン電源９ａから制御用マイコン１３及び第１受光器７１に電源を供給し続けることができる。
【００４０】
また、ＴＶ受像機１が通常モードのときにリモコン２のパワーボタン２６が操作されると、制御用マイコン１３がＰ−ＯＮ−Ｈ端子１３ｂからＬ信号を出力してトランジスタＴｒ７がオンすることにより、メイン電源９ａからの電源の供給を遮断することができるので通常モードから待機モードに切替えることができる。
【００４１】
なお、本発明は、上記実施形態の構成に限られず、発明の趣旨を変更しない範囲で種々の変形が可能である。例えば、第１発光器、第２発光器、第１受光器、及び第２受光器は、無線電波等を用いて信号の送受信を行うものであってもよい。また、待機モードと通常モードとの切替えは、パワーボタン２６以外のボタンが操作されたときに行われるものであってもよい。
【図面の簡単な説明】
【００４２】
【図１】本発明の一実施形態に係るＴＶ受像機とリモコンとを含むＴＶシステムの概略構成を示す図。
【図２】上記ＴＶ受像機の概略構成を示すブロック図。
【図３】上記リモコンの上面図。
【図４】上記リモコンにおける指示信号の送信動作手順を示すフローチャート。
【図５】上記ＴＶ受像機の待機モードから通常モードへの切替え動作手順を示すフローチャート。
【図６】上記ＴＶ受像機の第１受光器と、第２受光器と、制御用マイコンとの接続構成の一例を示す回路図。
【図７】上記ＴＶ受像機の待機モード時における信号電圧の変化を示すタイミングチャート。
【図８】上記ＴＶ受像機の通常モード時における信号電圧の変化を示すタイミングチャート。
【符号の説明】
【００４３】
１  ＴＶ受像機（電気機器）
２  リモコン（リモートコントロール）
６  電源部（電源供給手段）
７  受光部（信号受信手段）
８  制御部（制御手段）
９  電源部（電源供給手段）
１３  制御用マイコン（制御手段）
２６  パワーボタン（パワーオンキー、操作手段）
２０  発光部（信号送信手段）
２１  第１発光器（第１信号送信手段）
２２  第２発光器（第２信号送信手段）
７１  第１受光器（第１信号受信手段）
７２  第２受光器（第２信号受信手段）
１００  ＴＶシステム（リモコンシステム）
Ｔｒ１〜Ｔｒ７  トランジスタ（スイッチ手段）
【図１】
2010088063.tif 000003
【図２】
2010088063.tif 000004
【図３】
2010088063.tif 000005
【図４】
2010088063.tif 000006
【図５】
2010088063.tif 000007
【図６】
2010088063.tif 000008
【図７】
2010088063.tif 000009
【図８】
2010088063.tif 000010